(57)【要約】      （修正有）【課題】充電中に車へ不適正に近接しようとすることを未然に抑止する。【解決手段】プラグインハイブリッド或いは電気自動車の車載バッテリーへの充電装置に関して、通常時には車載用に利便性と安全性のために設置してあるソナーやカメラを用いて、充電中には充電開始信号を受けて車載のソナーやカメラを起動せしめて物体の車への異常なる近接をソナー或いはカメラにより検出して、クラクションやヘッドライトなどの車載の警報手段で警告をするとともに、カメラ信号を、通常時には車載情報通信のために設置してある通信機を起動させて予め設定してある通信連絡先へ異常の警告信号とカメラ情報を送信すること、或いはこの異常信号及びカメラ情報を車のバッテリーから充電ケーブルを介して充電器にある通信機、または充電器に繋がる電源線にある通信機を用いて送信する。【選択図】なし【特許請求の範囲】
【請求項１】
通常はイグニッションスイッチのオフとともに電源が切れる、或いは節電モードに入るソナーやカメラなどの機器を有するプラグインハイブリッド自動車、或いは電気自動車において、車載バッテリーを充電する外部の充電ステーションと電源線とこれらをつなぐ充電ケーブルから構成される充電システムにおいて、充電開始とともに車載のこれらソナーやカメラなどの機器を電源が切れた状態或いは節電モードから起動させる機能を持ち、イグニッションがオフにもかかわらず起動せしめたソナーやカメラなどにより、物体が予め設定した距離以上に近接した時、またはカメラが異常画像を認識した時に警告信号を発し、これによりクラクションや車載の照明機器或いは車載の音響機器などの少なくとも一部を用いて警告を発する構成を持つシステム。
【請求項２】
請求項１の構成において警告信号により車載の携帯電話機を起動させて所定の電話番号設定先に異常情報を送る機能を有するシステム。
【請求項３】
請求項１の構成において、車載バッテリーへの充電のための充電ステーションとこの充電ステーションとバッテリーをつなぐ充電ケーブル、さらにこの充電ステーションが電源線へ接続されるシステムにおいて、このシステム上に通信機を設置し、請求項１の警告信号によりこの通信機を起動させて所定の電話番号連絡先へ情報を送る機能を有するシステム。
【請求項４】
請求項３のシステムにおいて、充電ステーションに設置されている、或いは電源線上にカメラを設置されているカメラの信号情報が電源線通信などの技術を用いて車載通信機へ送られて予め設定された電話番号連絡先へ情報が送られるシステム。
【請求項５】
請求項１のシステム或るいは請求項１のシステムにおいてソナーなカメラを具備しない車両において、充電開始とともに車のオプション機器への給電を可能にせしめるコネクタや機能を有し、このオプション機器が異常を判断して警告音や警告信号を発する、或いはこのオプション機器が給電中に稼働することを可能にせしめるシステム。
【発明の詳細な説明】
【技術分野】
【０００１】本発明はプラグインハイブリッド自動車及び電気自動車の充電中の監視装置に関するものである。
【背景技術】
【０００２】プラグインハイブリッド自動車及び電気自動車（以下電気自動車で代表する）の一般使用に伴って、電気自動車への充電管理が安全面、安心面で重要な課題なってきている。図１には個人の自宅での充電器の構成を示す。１００ボルトまたは２００ボルトの電源線、ブレーカ、ＡＣ−ＤＣ電圧変換器及び給電用コンセントから構成されている。車の受電プラグをこの充電用コンセントに接続するだけで車載のバッテリーに充電開始できる。個人使用の充電器では盗電や、いたずら使用による危険が少ないためにこのような簡素な構成で成立する。【０００３】しかし、マンションの駐車場や公共の駐車場での充電においては利便性を損なわないような保安対策が必要である。
【発明の開示】
【発明が解決しようとする課題】
【０００４】保安対策のために、充電中において充電ステーションと電気自動車との双方を監視することができる簡易な手段を実現する必要がある。
【課題を解決するための手段】
【０００６】本発明はこの様な事情に鑑みなされたものであり、車載バッテリーの充電開始信号を受けて、車載のソナーや周辺監視カメラなどを起動して、ソナーが装備してある車の場合には、ソナーが物体の近接を一定距離以内に認識した時には警告信号と警告音を発するとともにカメラを起動させてその警告信号とカメラ映像を車載機の記憶装置に蓄え、さらにその警告信号により車載の通信機を起動して予め登録してある携帯電話機器へ警告情報と画像を送り、さらに充電ケーブルを通じて電源線通信技術などにより信号を充電装置にある記憶装置、或いは電源線通信を通じて電力線に繋がっている別途設置の記憶装置に記憶させるとともに電話回線網あるは無線回線網を通じて車のユーザの携帯電話などに送る手段であり、ソナーを装備していないシステムにおいては、カメラが画像認識をして物体の近接を判断して同様な処置を行う充電監視システムの構成である。
【発明の効果】
【０００７】本発明の構成により充電中に車へ不適正に近接しようとすることを未然に抑止する効果を生み出すことができる。
【発明を実施するための最良の形態】
【０００８】図２の本発明の構成図に従って発明の要点の詳細を説明する。１１は電源線、１２はブレーカ、１３は電力メータ、１４はＡＣ−ＤＣ電圧変換器、１５は給電コンセント、１６は受電プラグ、１７は車載バッテリー、１８はバッテリー制御ユニット、１９は車内ボデー系通信ライン、２０はソナー、２１は後方カメラ、２２は前方カメラ、２３は車載通信機、２４は充電器装着カメラ、２５は充電器集中コントローラ、２６は充電集中コントローラに併設された通信機、２７は通電ケーブルである。【０００９】この構成においてソナーの電源やカメラの電源は充電開始以前にはイグニッションがオフであり節電のため機能は停止している。これはイグニッションがオフの時にはこれらの機器によりバッテリーの電力の消耗を避けるために行われていることである。この構成において受電プラグ１６が給電コンセント１５に接続され、何らかの認証や決済手続きが必要に応じてなされた後に充電が開始される時、バッテリー監視ユニット１８が充電の開始を判断して車内ボデー系通信ライン１９を通じてソナー２０、カメラ２１、２２への電源を起動させ、或いは少なくともこれらの機器の一部を起動せしめ周辺監視機能の作動を開始する。【００１０】超音波で物体の近接を監視するソナーが物体の近接を検出することもあるし、カメラが画像分析により物体の近接を検出することもある。画像処理技術の進化により容易に画像を分析できる。事例ではソナーの信号によりシステムが作動する場合を述べる。【００１１】ソナー２０が物体の近接を監視して、その距離が所定の距離に近づいたときに警告信号を発しクラクションによる音の警告や車載の照明などによる光の警告を発し、カメラ２１，２２が電源オフであるときには速やかに電源を入れその機能を起動させ、通信器２３にも電源を入れ、カメラ２１、２２の画像情報の記録を開始するとともに、車載通信機２３を通じて設定された携帯網へ連絡するものである。携帯通信網としてはユーザの携帯電話やセキュリティを管理している会社の携帯通信器がある。【００１２】さらに図２においてソナー２０の警告信号で充電用の充電線２５を経由して充電器内蔵のカメラ２４を起動し、電源線へ電源線通信技術などを用いて充電器カメラの情報や車載カメラの情報を集中管理コンピュータ２５に送るとともに併設の通信機２６を用いて予め登録してある携帯機器やセキュリティセンターへ情報を送信することができる。【００１３】盗難防止用の様々なオプション機器も存在するが、課題はバッテリーの消耗である。侵入センサなどの感度上げたりすれば車のイグニッションがオフの時の待機電流多くなってしまう。本発明によればこれらの機器も充電開始とともに通電することにより、一層、車の保安対策が充実できる。
【産業上の利用の可能性】
【００１４】電気自動車の普及には、その充電のし易さと充電中の安心の確保が重要であるが監視システムを充実することにより利便性を損なわずに保安を確保することができる。また、近年増加している車の盗難も未然に抑止することができるために、電気自動車の普及を促すことにもなる方法を提供することができる。
【図面の簡単な説明】
【図１】  家庭用充電器。
【図２】  本発明による構成の充電監視システム。
【符号の説明】
１・・・電源線            ２・・・ブレーカ      ３・・・ＡＣ−ＤＣ電圧変換器
４・・・給電コンセント    ５・・・受電プラグ    ６・・・車載バッテリー
１１・・・電源線        １２・・・ブレーカ    １３・・・電力メータ
１４・・・ＡＣ−ＤＣ電圧変換器    １５・・・給電コンセント
１６・・・受電プラグ              １７・・・車載バッテリー
１８・・・バッテリー制御ユニット  １９・・・車内ボデー系通信ライン
２０・・・ソナー                  ２１・・・後方監視カメラ
２２・・・前方監視カメラ          ２３・・・車載通信機
２４・・・充電器装着カメラ        ２５・・・充電器集中コントローラ
２６・・・通信機                  ２７・・・通電ケーブル
【図１】
2010140451.tif 000002
【図２】
2010140451.tif 000003